【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
磁気検出素子と、
前記磁気検出素子を保持する非磁性保持体と、
環状外殻部を有し、内部に所定の空間を形成する非磁性ケースと、
前記非磁性ケースを貫通する、被測定電流の経路を成すバスバーとを備え、
前記非磁性ケースは、前記環状外殻部の内側に、
前記非磁性保持体を収容する収容部と、
前記収容部と前記バスバーの貫通する部分とを隔てる隔壁と、
前記非磁性保持体を前記隔壁に対して押圧する第１の押圧手段とを有する、電流センサ。
【請求項２】
磁気検出素子と、
環状外殻部を有し、内部に所定の空間を形成する非磁性ケースとを備え、
前記非磁性ケースは、前記環状外殻部の内側に、
被測定電流の経路を成すバスバーを挿通するための挿通部と、
前記挿通部を隔てる隔壁と、
前記挿通部に挿通されたバスバーを前記隔壁に対して押圧するための第２の押圧手段とを有する、電流センサ。
【請求項３】
請求項２に記載の電流センサにおいて、
前記磁気検出素子を保持する非磁性保持体を備え、
前記非磁性ケースは、前記環状外殻部の内側に、
前記非磁性保持体を収容する収容部と、前記非磁性保持体を前記隔壁に対して押圧する第１の押圧手段とを有する、電流センサ。
【請求項４】
請求項１又は３に記載の電流センサにおいて、前記第１の押圧手段は、前記環状外殻部の内側に前記隔壁と対向するように形成された突起部である、電流センサ。
【請求項５】
請求項２又は３に記載の電流センサにおいて、前記第２の押圧手段は、前記環状外殻部の内側の所定の面から前記隔壁に近づくように伸びた弾性片である、電流センサ。
【請求項６】
請求項１，３，又は４のいずれか一項に記載の電流センサにおいて、
前記隔壁は、前記環状外殻部の内側の対向面間を渡すように形成され、前記対向面間の中間が少なくとも部分的に凹部又は切欠となっていて、
前記隔壁の前記凹部又は前記切欠に前記磁気検出素子が位置する、電流センサ。
【請求項７】
請求項１，３，４，又は６のいずれか一項に記載の電流センサにおいて、前記非磁性保持体は、前記磁気検出素子が接続固定された回路基板である、電流センサ。
【請求項８】
請求項６に記載の電流センサにおいて、前記非磁性保持体は、前記収容部に位置して第１の押圧手段によって前記隔壁に対して押圧される平板状部と、前記平板状部から前記隔壁の前記凹部又は前記切欠に位置するように突出した凸部とを有し、前記凸部の内側が空間となっていて前記磁気検出素子を収容している、電流センサ。
【請求項９】
請求項８に記載の電流センサにおいて、前記磁気検出素子が接続固定された回路基板をさらに備え、前記回路基板が前記非磁性保持体の前記平板状部の上に載置されている、電流センサ。
【請求項１０】
請求項１から９のいずれか一項に記載の電流センサにおいて、前記環状外殻部の外側を囲む環状囲み部を有する磁気シールド体をさらに備える、電流センサ。
【請求項１１】
請求項１０に記載の電流センサにおいて、前記磁気シールド体は、第１及び第２の磁気シールド部材によって前記環状外殻部の外側を囲むものであり、その囲っている状態で前記第１及び第２の磁気シールド部材間に空隙が形成されている、電流センサ。
【請求項１２】
請求項１から１１のいずれか一項に記載の電流センサにおいて、前記非磁性ケースは、樹脂成形体又は非磁性金属製である、電流センサ。
【請求項１３】
請求項１から１２のいずれか一項に記載の電流センサにおいて、前記環状外殻部の内側又は前記隔壁に、前記バスバーの貫通する部分に突出する係合凸部がバスバーの貫通方向の一部に形成され、係合凹部を有するバスバーと嵌合構造を取ることを可能とした、電流センサ。
【手続補正２】
【補正対象書類名】明細書
【補正対象項目名】０００６
【補正方法】変更
【補正の内容】
【０００６】
本発明のある態様は、電流センサである。この電流センサは、
磁気検出素子と、
前記磁気検出素子を保持する非磁性保持体と、
環状外殻部を有し、内部に所定の空間を形成する非磁性ケースと、
前記非磁性ケースを貫通する、被測定電流の経路を成すバスバーとを備え、
前記非磁性ケースは、前記環状外殻部の内側に、
前記非磁性保持体を収容する収容部と、
前記収容部と前記バスバーの貫通する部分とを隔てる隔壁と、
前記非磁性保持体を前記隔壁に対して押圧する第１の押圧手段とを有する。
【手続補正３】
【補正対象書類名】明細書
【補正対象項目名】０００７
【補正方法】変更
【補正の内容】
【０００７】
本発明の別の態様も、電流センサである。この電流センサは、
磁気検出素子と、
環状外殻部を有し、内部に所定の空間を形成する非磁性ケースとを備え、
前記非磁性ケースは、前記環状外殻部の内側に、
被測定電流の経路を成すバスバーを挿通するための挿通部と、
前記挿通部を隔てる隔壁と、
前記挿通部に挿通されたバスバーを前記隔壁に対して押圧するための第２の押圧手段とを有する。
【手続補正４】
【補正対象書類名】明細書
【補正対象項目名】０００８
【補正方法】変更
【補正の内容】
【０００８】
別の態様の電流センサにおいて、
前記磁気検出素子を保持する非磁性保持体を備え、
前記非磁性ケースは、前記環状外殻部の内側に、
前記非磁性保持体を収容する収容部と、前記非磁性保持体を前記隔壁に対して押圧する第１の押圧手段とを有してもよい。
【手続補正５】
【補正対象書類名】明細書
【補正対象項目名】０００９
【補正方法】変更
【補正の内容】
【０００９】
前記第１の押圧手段は、前記環状外殻部の内側に前記隔壁と対向するように形成された突起部であってもよい。
前記第２の押圧手段は、前記環状外殻部の内側の所定の面から前記隔壁に近づくように伸びた弾性片であってもよい。
【手続補正６】
【補正対象書類名】明細書
【補正対象項目名】００１０
【補正方法】変更
【補正の内容】
【００１０】
前記隔壁は、前記環状外殻部の内側の対向面間を渡すように形成され、前記対向面間の中間が少なくとも部分的に凹部又は切欠となっていて、
前記隔壁の前記凹部又は前記切欠に前記磁気検出素子が位置してもよい。
【手続補正７】
【補正対象書類名】明細書
【補正対象項目名】００１１
【補正方法】変更
【補正の内容】
【００１１】
前記非磁性保持体は、前記磁気検出素子が接続固定された回路基板であってもよい。
【手続補正８】
【補正対象書類名】明細書
【補正対象項目名】００１２
【補正方法】変更
【補正の内容】
【００１２】
前記非磁性保持体は、前記収容部に位置して第１の押圧手段によって前記隔壁に対して押圧される平板状部と、前記平板状部から前記隔壁の前記凹部又は前記切欠に位置するように突出した凸部とを有し、前記凸部の内側が空間となっていて前記磁気検出素子を収容していてもよい。
また、前記磁気検出素子が接続固定された回路基板をさらに備え、前記回路基板が前記非磁性保持体の前記平板状部の上に載置されてもよい。
【手続補正９】
【補正対象書類名】明細書
【補正対象項目名】００１３
【補正方法】変更
【補正の内容】
【００１３】
前記環状外殻部の外側を囲む環状囲み部を有する磁気シールド体をさらに備えてもよい。
【手続補正１０】
【補正対象書類名】明細書
【補正対象項目名】００１４
【補正方法】変更
【補正の内容】
【００１４】
この場合、前記磁気シールド体は、第１及び第２の磁気シールド部材によって前記環状外殻部の外側を囲むものであり、その囲っている状態で前記第１及び第２の磁気シールド部材間に空隙が形成されてもよい。
【手続補正１１】
【補正対象書類名】明細書
【補正対象項目名】００１５
【補正方法】変更
【補正の内容】
【００１５】
前記非磁性ケースは、樹脂成形体又は非磁性金属製であってもよい。
【手続補正１２】
【補正対象書類名】明細書
【補正対象項目名】００１６
【補正方法】変更
【補正の内容】
【００１６】
前記環状外殻部の内側又は前記隔壁に、前記バスバーの貫通する部分に突出する係合凸部がバスバーの貫通方向の一部に形成され、係合凹部を有するバスバーと嵌合構造を取ることを可能としてもよい。
【手続補正１３】
【補正対象書類名】明細書
【補正対象項目名】００１８
【補正方法】変更
【補正の内容】
【００１８】
本発明によれば、非磁性ケースの環状外殻部の内側において、磁気検出素子を保持する非磁性保持体を隔壁に対して押圧し、又は被測定電流の経路を成すバスバーを前記隔壁に対して押圧するため、磁気検出素子とバスバーとの間の距離を安定させることができ、コアレス構造であっても高精度の電流検出が可能となる。